(57)【要約】      （修正有）【課題】一つの器具の中にマッサージ効果、補助器具の機能、フック機能などを併せ持ち、携帯に便利な簡易マッサージ器具を提供する。【解決手段】ポリプロピレン製の弾力有るＳ字型形状の外周部に複数の突起部を持ち、多機能を納めることを特徴とする。【効果】マッサージ効果を期待できるほか、缶やペットボトルのキャップなどを簡単に開ける機能をコンパクトに納めたため常に携帯でき、日常生活や旅行先にも役立ち、老年層他女性や多く人の疲労の軽減と喜びに役立つ。【選択図】図１
0003102706.tif 000002
【実用新案登録請求の範囲】
【請求項１】
ポリプロピレン製の弾力有るＳ字型形状のマッサージ器具において、５本の指の第一関節中央に同時に当たるよう握りしめることが出来、それぞれの突起部に指圧の意図を持たせてあるため指圧効果が容易に期待できる、多機能をコンパクトに収めたマッサージ器具。
【請求項２】
多くのツボが集まっていると言われる手のマッサージ効果を得るために、縁起の良い昇り龍のデザインで刺激効果が得られる突起部を付けた、請求項１記載のマッサージ器具。
【請求項３】
弾力性のあるポリプロピレン製であるため、旅行先の限られた狭い空間に対応するようフック機能を付加した、乗り物の中等で手回り品を掛けることができる請求項１乃至４のいずれかに記載のマッサージ器具。
【請求項４】
指先を保護し、小さな力で缶入りの飲み物等も簡単に開ける機能を付加するため昇龍の頭部に角のデザインを作る、請求項１又は２記載のマッサージ器具。
【請求項５】
開けにくいペットボトル等のキャップを昇龍の首部分の細かな刻みを施したリングにはめることで、簡単に開けられる機能を付加した請求項１乃至３のいずれかに記載のマッサージ器具。
【請求項６】
ストラップを付け、持ち歩けるデザイン美を持つ、請求項１乃至５のいずれかに記載のマッサージ器具。
【考案の詳細な説明】
【０００１】
【考案の属する技術分野】本考案は、柔らかな感触と弾力を程良く持つポリプロピレン製で、各種機能を縁起の良い昇り龍のデザインに兼ね備えた事により、効率よく手軽にマッサージ効果を得られると共に、少ない力で缶やペットボトルを容易に開けることが出来、旅先などで重宝するフック機能も付与した多機能生活用品に関するものである。また、旅行グッツとしても利便性を高めた品である。
【０００２】
【従来の技術】近年はパソコン操作や、自然の少ない生活環境、時間に追われがちな生活パターンのせいか、老年、壮年は言うに及ばず、若年層であっても健康志向である。従来より手のツボを刺激することは、血行を良くし、リンパの流れを正常にする効果があるとされ、その結果凝りや疲労の解消、脳等の老化防止等にも良いと言われており、癒しグッツが好まれている。
【０００３】従来マッサージ器具にはゴム、木製、金属の物等有り、機能としてはマッサージ機能のみに限られる物が大半であった。
【０００４】
【考案が解決しようとする課題】本考案は適度の弾力性と質感があり指圧の強弱を調整し易く、いつでもどこでもストレス解消が出来るマッサージ機能と、気軽に役立つ機能をコンパクトに昇龍のデザインの中に納めた健康グッツであり、旅にも対応可能にするよう新幹線車種など調査、試行錯誤・試作・考慮を繰り返した結果、完成した物である。
【０００５】
【課題を解決するための手段】前記技術的課題は次の通り本考案により解決できる。    即ち、程良い弾力が有るポリプロピレン製のＳ字状のマッサージ器具であり、手に包み込み弾力を生かすことにより手の指に同時に指圧でき、マッサージ効果を良好にする。また、一つのデザインの中にフック機能、缶、キャップ開けの機能など多機能をコンパクトに納めたことは他に類を見ない画期的なものである。手のツボをマッサージするという簡単で単純な作業であるが、毎日実行するためには多くの機能を併せ持つことで、常時持ち歩くことになり指圧の機会を増やす事となる。マッサージ器具でありながら、力が弱くなりがちな老人や女性の手を守り、手助けとなるキャップや缶開け機能、フック機能も兼ね備えたユニバーサルデザインである。
【０００６】本考案の実施に当たり、図１に示すように多くのツボを同時に指圧できる。
【０００７】さらに本考案は新幹線の等の簡易テーブルに３キログラム程度の手回り品を掛けるフック機能を付加した。
【０００８】さらに本発明は指先を保護し、女性や老人なども小さな力でプル缶を容易に開ける事が可能な機能を付加した。龍頭部、Ａの角部分である。また、細かな刻みを入れたリング部分をペットボトルのキャップ部分Ｂに差し込むことにより、指圧部突起が手の力を有効にしキャップをより開けやすくした。
【考案の実施の形態】昇龍の外側、突起部分は掌中に無理なく入り、握りしめることで手のツボを同時にマッサージ出来る。また、昇龍の頭部Ａには缶のプルを簡単に持ち上げられる。またプラスティックの弾力性により、少ない力でも簡単にふたを開けることが出来る。この様な機能を一つのデザインの中に納めたことにより、日常生活や旅行先などの時間と空間を有効にする。
【実施例】
【０００９】以下、添付図面に従って実施例を説明する。
図１はマッサージ機能の実施例である。、例えば左手に本考案によるマッサージ器具を▲１▼龍の頭部を左手親指ふくらはぎに、▲２▼龍の背の突起部、▲３▼人差し指、▲４▼中指、▲５▼中指、と掛け▲６▼尾の部に小指を▲７▼右手のツボ押しに、▲８▼龍の腹の突起部を手の平に指圧できる。同様に、右手を指圧する。
【００１０】図２は本考案の機能を表す部位である。図３に示すように昇龍の頭部を新幹線やバスのテーブル等に押し入れて手回り品が掛けられるフック機能、Ａ部分をプルタブに差し込んで起こすプル缶開け、Ｂ部分をペットボトルのキャップにはめ開ける機能を納めた。
【考案の効果】上述のように、本考案は同時に多くの手のツボを指圧出来るため日常のストレス解消ばかりでなく旅先等、限られた時間や余暇を有効に使い、どの様な場所においても簡単に充実した時を過ごすことができる。また缶、キャップ開け機能、フック機能など補助機能を付加した為、便利で快適に過ごすことが増大する品である。
【図面の簡単な説明】
【図１】本考案の実施例、マッサージのツボ部分を示す正面である。
【図２】本考案の機能を有する昇龍各部の説明図
【図３】フック機能の使用例
【図４】プル缶開け機能の使用例
【図５】ペットボトルキャップ開け機能の使用例
【符号の説明】
Ａ・・・プル缶開けを容易にする角部分
Ｂ・・・ペットボトルのキャップ開けを容易にするリング部分
Ｃ・・・好みの紐やストラップを通す穴
▲１▼・・・指圧に役立つ突起部（手のふくらはぎに当てる）
▲２▼・・・指圧に役立つ突起部（親指に当てる）
▲３▼・・・指圧に役立つ突起部（人差し指に当てる）
▲４▼・・・指圧に役立つ突起部（中指に当てる）
▲５▼・・・指圧に役立つ突起部（薬指に当てる）
▲６▼・・・指圧に役立つ突起部（小指に当てる）
▲７▼・・・指圧に役立つ突起部（反対の手に当てる）
▲８▼・・・指圧に役立つ突起部（手の平に当てる）
【図１】
0003102706.tif 000003
【図２】
0003102706.tif 000004
【図３】
0003102706.tif 000005
【図４】
0003102706.tif 000006
【図５】
0003102706.tif 000007
【手続補正書】
【提出日】平成15年4月9日(2003.4.9)
【手続補正１】
【補正対象書類名】明細書
【補正対象項目名】全文
【補正方法】変更
【補正の内容】
【実用新案登録請求の範囲】
【請求項１】ポリプロピレン製の弾力有るＳ字型形状の外周部に複数の突起部を持ち、多機能を納めたことを特徴とするマッサージ器具。
【請求項２】複数の突起部は５本の指の第一関節中央に同時に当たるよう握りしめることが出来、突起部に指圧の意図を持たせてある手等のマッサージ効果を得るための請求項１記載のマッサージ器具。
【請求項３】弾力性のあるポリプロピレン製であるため、旅行先の限られた狭い空間に対応するようＳ字状の形態を生かしフック機能を付加することにより、乗り物の中などで手回り品を掛けることができる請求項１乃至４のいずれかに記載のマッサージ器具。
【請求項４】指先を保護し小さな力で缶入りの飲み物等も簡単に開ける機能を昇龍の頭部Ａに付加した、請求項１又は２記載のマッサージ器具。
【請求項５】開けにくいペットボトル等のキャップ部分を細かな刻みを施したリングＢ部にはめ回すことで、簡単に開けられる機能を付加した請求項１乃至３のいずれかに記載のマッサージ器具。
【請求項６】ストラップを付け、持ち歩けるデザインＣを持つ、請求項１乃至５のいずれかに記載のマッサージ器具。
【考案の詳細な説明】
【０００１】
【考案の属する技術分野】本考案は、柔らかな感触と弾力を程良く持つポリプロピレン製でＳ字状の外周部の突起により、効率よく手軽にマッサージ効果を得られると共に、少ない力で缶やペットボトルを容易に開けることが出来る。各種機能を縁起の良い昇り龍のデザインに兼ね備えた、旅先などで重宝する多機能の利便性を高めたマッサージ器具。
【０００２】
【従来の技術】近年はパソコン操作や、自然の少ない生活環境、時間に追われがちな生活パターンのせいか、老年、壮年は言うに及ばず、若年層であっても健康志向である。従来より手のツボを刺激することは、血行を良くし、リンパの流れを正常にする効果があるとされ、その結果凝りや疲労の解消、脳等の老化防止等にも良いと言われており、癒しグッツが好まれている。
【０００３】従来マッサージ器具にはゴム、木製、金属の物等有り、機能としてはマッサージ機能のみに限られる物が大半であった。
【０００４】
【考案が解決しようとする課題】本考案は適度の弾力性と質感があり指圧の強弱を調整し易く、いつでもどこでもストレス解消が出来るマッサージ機能と、気軽に役立つ機能をデザインの中にコンパクトに収め、旅にも対応可能にするよう新幹線車種など調査、試行錯誤・試作・考慮を繰り返した結果、完成した物である。
【０００５】
【課題を解決するための手段】前記技術的課題は次の通り本考案により解決できる。    即ち、程良い弾力有るポリプロピレン製のＳ字状のマッサージ器具であり、手に包み込み弾力を生かすことにより同時に手の指に指圧でき、マッサージ効果を良好にする。また、一つのデザインの中にフック機能、缶、キャップ開けの機能など多機能をコンパクトに収めたことは他に類を見ない画期的なものである。手のツボをマッサージするという簡単で単純な作業であるが、毎日実行するためには多くの機能を併せ持つことで、常時持ち歩くことになり指圧の機会を増やす事となる。マッサージ器具でありながら、力が弱くなりがちな老人や女性の手を守り、手助けとなるキャップや缶開け機能、フック機能も兼ね備えたユニバーサルデザインである。
【０００６】本考案の実施に当たり、図１に示すように多くのツボを同時に指圧できる。
【０００７】本考案はＤ部とＥ部を新幹線等の簡易テーブル等に挟むことによりＦ部に３キログラム程度の手回り品を掛けるフック機能を付加した。
【０００８】さらに本考案は指先を保護し、女性や老人なども小さな力でプル缶を容易に開ける事が可能な機能を付加した。龍頭部、Ａの角部分である。また、細かな刻みを入れたリング部分Ｂをペットボトルのキャップ部分に挟み込むことにより、Ｓ字状外周部突起が滑りにく力を掛けやすく、キャップをより開けやすくした。
【考案の実施の形態】昇龍の外周突起部分は掌中に無理なく入り、握りしめることで手のツボを同時にマッサージ出来る。また、昇龍の頭部Ａには缶のプルを簡単に持ち上げられる。また弾力性により、少ない力でも簡単にふたを開けることが出来る。この様な機能を一つのデザインの中に納めたことにより、日常生活や旅行先などの時間と空間を有効に活用する。
【実施例】
【０００９】以下、添付図面に従って実施例を説明する。
図１はマッサージ機能の実施例である。例えば左手に本考案によるマッサージ器具を▲１▼龍の頭部を左手親指ふくらはぎに、▲２▼の突起部を親指に、▲３▼の突起部を人差し指、▲４▼の突起部を中指、▲５▼の突起部を薬指、と掛け▲６▼の突起部を小指に▲７▼の突起部を右手のツボ押しに、▲８▼の突起部を手の平に指圧できる。
同様に、右手を指圧する。
【００１０】図２は本考案の機能を表す部位である。Ｄ部，Ｅ部をテーブルなどに挟み、Ｆ部に手荷物などをかける事が出来き、図３に示すように新幹線やバスのテーブル等に押し入れて手回り品が掛けられるフック機能、Ａ部分をプルタブに差し込んで起こすプル缶開け、Ｂ部分をペットボトルのキャップにはめ開ける機能を納めた。
【考案の効果】上述のように、本考案は同時に多くの手のツボを指圧出来るため日常のストレス解消ばかりでなく旅先等、限られた時間や余暇を有効に使い、どの様な場所においても簡単に充実した時を過ごすことができる。また缶、キャップ開け機能、フック機能など補助機能を付加した為、便利で快適に過ごすことが増大する品である。
【図面の簡単な説明】
【図１】本考案の実施例、マッサージの為の突起部分を示す図面である。
【図２】本考案の機能を有する昇龍各部の説明図
【図３】フック機能の使用例
【図４】プル缶開け機能の使用例
【図５】ペットボトルキャップ開け機能の使用例
【符号の説明】
Ａ・・・プル缶開けを容易にする角部分
Ｂ・・・ペットボトルのキャップ開けを容易にするリング部分
Ｃ・・・好みの紐やストラップを通す穴
Ｄ・・・Ｅ部と挟むことによりフック機能を持つ
Ｅ・・・Ｄ部と挟むことによりフック機能を持つ
Ｆ・・・フック機能のためのリング部分
▲１▼・・・指圧に役立つ突起部（手のふくらはぎに当てる）
▲２▼・・・指圧に役立つ突起部（親指に当てる）
▲３▼・・・指圧に役立つ突起部（人差し指に当てる）
▲４▼・・・指圧に役立つ突起部（中指に当てる）
▲５▼・・・指圧に役立つ突起部（薬指に当てる）
▲６▼・・・指圧に役立つ突起部（小指に当てる）
▲７▼・・・指圧に役立つ突起部（反対の手に当てる）
▲８▼・・・指圧に役立つ突起部（手の平に当てる）


【手続補正２】
【補正対象書類名】図面
【補正対象項目名】図２
【補正方法】変更
【補正の内容】
【図２】
0003102706.tif 000008
【手続補正書】
【提出日】平成15年8月5日(2003.8.5)
【手続補正１】
【補正対象書類名】明細書
【補正対象項目名】実用新案登録請求の範囲
【補正方法】変更
【補正の内容】
【実用新案登録請求の範囲】
【請求項１】
ポリプロピレン製の弾力有るＳ字型形状の外周部に複数の突起部を持ち、多機能を納めたことを特徴とするマッサージ器具。
【請求項２】
複数の突起部は５本の指の第一関節中央に同時に当たるよう握りしめることが出来、突起部に指圧の意図を持たせた手、等のマッサージ効果を得るための請求項１記載のマッサージ器具。
【請求項３】
図２に示した外郭の形を昇龍に見立て、その一端は頭部のデザインにした。その頭部に指先を保護し小さな力で缶入りの飲み物等を容易に開ける手がかりとしてＡの角状の部分を附加した請求項１又は２記載のマッサージ器具。
【請求項４】
弾力性のあるポリプロピレン製であるため、旅行先の限られた狭い空間に対応するようＳ字状の形態を生かし、フック機能を付加することにより、乗り物の中などで手回り品を掛けることができる請求項１乃至３のいずれかに記載のマッサージ器具。
【請求項５】
本考案のＳ字状の形状によってなる、２つのリング部分のうち図に示すＢ部、即ち外周上の突起部と内周上に細かな刻みを施した内周面を持つ部分をペットボトルなどのキャップの大きさに合わせて挟むことで滑りにくく、簡単に開けられる機能を付加した請求項１乃至４のいずれかに記載のマッサージ器具。
【請求項６】
ストラップを付け、持ち歩ける穴Ｃを持つ、請求項１乃至５のいずれかに記載のマッサージ器具。
【手続補正書】
【提出日】平成15年10月24日(2003.10.24)
【手続補正１】
【補正対象書類名】明細書
【補正対象項目名】実用新案登録請求の範囲
【補正方法】変更
【補正の内容】
【実用新案登録請求の範囲】
【請求項１】
ポリプロピレン製の弾力有るＳ字型形状の外周部に複数の突起部を持ち、多機能を納めたことを特徴とするマッサージ器具。
【請求項２】
複数の突起部は５本の指の第一関節中央に同時に当たるよう握りしめることが出来、突起部に指圧の意図を持たせ手等のマッサージ効果を期待できる事を特徴とする請求項１記載のマッサージ器具。
【請求項３】
外郭のＳ字型形状は昇龍のデザインにし、その一端を龍頭部に見立て、引っかかりとして頭部の外周上に角状の部分を設けたことにより、缶入りの飲み物等のプル缶を引っかけることができ、小さな力でしかも指先を保護しながら容易に開ける機能を付加した事を特徴とする請求項１又は２記載のマッサージ器具。
【請求項５】
本考案のＳ字状の形状によってなる、２つのリング部分のうちの一つ、即ち外周上の突起部と内周上に細かな刻みを施した内周面を持つリング部分を、ペットボトルなどのキャップの大きさに合わせて挟むことにより滑りにくく、簡単に開けられる機能を付加した事を特徴とする請求項１乃至４のいずれかに記載のマッサージ器具。
【請求項６】
ストラップを付け、持ち歩ける穴Ｃを持つ事を特徴とする請求項１乃至５のいずれかに記載のマッサージ器具。
【手続補正書】
【提出日】平成16年1月19日(2004.1.19)
【手続補正１】
【補正対象書類名】明細書
【補正対象項目名】実用新案登録請求の範囲
【補正方法】変更
【補正の内容】
【実用新案登録請求の範囲】
【請求項１】
ポリプロピレン製の弾力有るＳ字型形状の外周部に複数の突起部を持ち、多機能を納めたことを特徴とするマッサージ器具。
【請求項２】
複数の突起部は５本の指の第一関節中央に同時に当たるよう握りしめることが出来、突起部に指圧の意図を持たせ手等のマッサージ効果を期待できる事を特徴とする請求項１記載のマッサージ器具。
【請求項３】
外郭のＳ字型形状は昇龍のデザインにし、その一端を龍頭部に見立て、引っかかりとして頭部の外周上に角状の部分を設けたことにより、缶入りの飲み物等のプル缶を引っかけることができ、小さな力でしかも指先を保護しながら容易に開ける機能を付加した事を特徴とする請求項１又は２記載のマッサージ器具。
【請求項４】
弾力有るポリプロピレン製であるため、旅行先等の限られた狭い空間にも対応するようＳ字状の形態を生かしフック機能を付加した、乗り物などで簡単に手回り品を掛ける事が出来る請求項１乃至３のいずれかに記載のマッサージ器具。
【請求項５】
本考案のＳ字状の形状によってなる、２つのリング部分のうちの一つ、即ち外周上の突起部と内周上に細かな刻みを施した内周面を持つリング部分を、ペットボトルなどのキャップの大きさに合わせて挟むことにより滑りにくく、簡単に開けられる機能を付加した事を特徴とする請求項１乃至４のいずれかに記載のマッサージ器具。
【請求項６】
ストラップを付け、持ち歩ける穴Ｃを持つ事を特徴とする請求項１乃至５のいずれかに記載のマッサージ器具。